(57)【要約】【課題】利用客にとって利便性を高くすることができる。【解決手段】商品の買上データに基づき取引の精算処理を行う精算手段と、利用客が所持する決済媒体に追加処理を行う追加手段と、取引において、前記追加手段による前記追加処理と、前記精算手段による前記精算処理とがある場合、前記追加手段による前記追加処理を優先して実行する制御手段と、を備える。【選択図】図８
2020119606.tif 000002
【特許請求の範囲】
【請求項１】
顧客の購入対象の商品を登録する登録装置と、前記商品の登録データに基づいて顧客が自ら操作して精算処理を行う複数の精算装置と、電子マネーによる決済媒体管理サーバと、が接続されているＰＯＳシステムにおいて、
前記登録装置は、
登録する前記商品を示す商品情報を入力する入力手段と、
前記入力手段により入力された商品情報に基づいて前記登録データを前記精算装置へ送信する送信手段と、
を備え、
前記精算装置は、
前記登録データに基づき精算方法の選択肢を表示し、精算方法として決済媒体による選択を受けた場合に、顧客が所持する決済媒体に記憶された情報を用いて取引の精算処理を行う精算手段と、
決済部において顧客が所持する決済媒体の残額に金額の追加処理を行う追加手段と、
を備え、
前記精算手段は、前記決済部において顧客が所持する決済媒体に記憶された情報を読み取ったのちに、前記追加手段により決済媒体の残額に金額が追加された場合に、前記決済媒体に記憶された情報を改めて読み取ることなく精算処理を行う
ことを特徴とするＰＯＳシステム。
【請求項２】
前記追加処理に関する情報と、前記精算処理に関する情報とを表示部に表示する表示手段を有し、
前記表示手段は、前記追加処理に関する情報を表示する場合、追加金額の入金を促す画面を表示することを特徴とする請求項１に記載のＰＯＳシステム。
【請求項３】
前記追加手段は、入力操作に応じた金額を前記決済媒体の残額に追加することを特徴とする請求項１または請求項２に記載のＰＯＳシステム。
【請求項４】
前記決済媒体の残額と購入対象の商品の合計金額とに基づいて差額を算出する算出手段を備え、
前記精算手段により前記算出手段により算出された差額よりも前記合計金額が大きいと判定された場合、前記追加手段による前記追加処理が前記精算処理より優先して行われることを特徴とする請求項２に記載のＰＯＳシステム。
【請求項５】
前記表示手段は、前記追加処理において追加する金額をボタンで選択させる追加金額画面を表示し、
前記追加金額画面において、前記算出手段により算出された差額に基づいて、前記追加処理が行われても、前記追加処理後の前記決済媒体の残額が、購入対象の商品の合計金額未満となる前記ボタンは選択できないように表示されることを特徴とする請求項４に記載のＰＯＳシステム。
【請求項６】
顧客の購入対象の商品を登録する登録装置と、前記商品の登録データに基づいて顧客が自ら操作して精算処理を行う複数の精算装置と、電子マネーによる決済媒体管理サーバと、が接続されているＰＯＳシステムにおいて前記登録装置を第１のコンピュータとして機能させ、前記精算装置を第２のコンピュータとして機能させるためのプログラムであって、
前記第１のコンピュータを、
登録する前記商品を示す商品情報を入力する入力手段と、
前記入力手段により入力された商品情報に基づいて前記登録データを前記精算装置へ送信する送信手段として機能させ、
前記第２のコンピュータを、
前記登録データに基づき精算方法の選択肢を表示し、精算方法として決済媒体による選択を受けた場合に、顧客が所持する決済媒体に記憶された情報を用いて取引の精算処理を行う精算手段と、
決済部において顧客が所持する決済媒体の残額に金額の追加処理を行う追加手段として機能させ、
前記精算手段は、前記決済部において顧客が所持する決済媒体に記憶された情報を読み取ったのちに、前記追加手段により決済媒体の残額に金額が追加された場合に、前記決済媒体に記憶された情報を改めて読み取ることなく精算処理を行う
ことを特徴とするプログラム。
【発明の詳細な説明】
【技術分野】
【０００１】
本発明は、ＰＯＳシステムおよびプログラムに関する。
【背景技術】
【０００２】
ＰＯＳレジスタや、セルフレジスタや、登録装置と精算装置とが分離したレジシステムなどにおいて、電子マネーを利用する際、精算開始前にカード残高にチャージを行い、その後に精算処理を開始することが知られている（例えば、特許文献１参照）。
【先行技術文献】
【特許文献】
【０００３】
【特許文献１】特開２００７−２０９４４５号公報
【発明の概要】
【発明が解決しようとする課題】
【０００４】
しかしながら、従来知られている方法では、精算処理を開始した後で電子マネーのチャージを行うことは難しいという問題がある。そのため、電子マネーの残高が会計金額未満であった場合、例えば、電子マネー残高を使い切り、残りの不足分を現金で支払い精算処理を完了させることが一般的な対処法となる。このような場合、利用客は残高が０円となった電子マネーを別途チャージする機会を設けなければならず、必ずしも利用者優位な精算方法とはいえない。
【０００５】
本発明は、このような事情に鑑みてなされたものであり、利用客にとって利便性の高いＰＯＳシステムおよびプログラムを提供することを目的とする。
【課題を解決するための手段】
【０００６】
上述した課題を解決するための本発明の一態様は、商品の買上データに基づき取引の精算処理を行う精算手段と、利用客が所持する決済媒体に追加処理を行う追加手段と、取引において、前記追加手段による前記追加処理と、前記精算手段による前記精算処理とがある場合、前記追加手段による前記追加処理を優先して実行する制御手段と、を備えることを特徴とする販売データ処理装置である。
【０００７】
上記構成によれば、精算手段は、商品の買上データに基づき取引の精算処理を行う。また、追加手段は、利用客が所持する決済媒体に追加処理を行う。また、制御手段は、取引において、追加手段による追加処理と、精算手段による精算処理とがある場合、追加手段による追加処理を優先して実行する。
【０００８】
これにより、取引において、追加処理と精算処理とがある場合、追加処理を優先して実行することができるため、利用客にとって利便性を高くすることができる。
【０００９】
また、本発明の一態様は、上記の販売データ処理装置であって、前記制御手段は、前記追加処理が完了すると、前記精算処理を開始するようにしてもよい。
【００１０】
上記構成によれば、制御手段は、追加処理が完了すると、精算処理を開始する。
【００１１】
これにより、取引において、追加処理を実行した後、自動的に精算処理を開始することができる。
【００１２】
また、本発明の一態様は、上記の販売データ処理装置であって、前記追加処理に関する情報と、前記精算処理に関する情報とを表示する表示手段と、前記表示手段が表示した金額表示に基づいて入力操作を受け付ける入力手段と、を備え、前記追加手段は、前記入力手段による入力操作に応じた金額を前記決済媒体に追加するようにしてもよい。
【００１３】
上記構成によれば、表示手段は、追加処理に関する情報と、精算処理に関する情報とを表示する。また、入力手段は、表示手段が表示した金額表示に基づいて入力操作を受け付ける。また、前記追加手段は、前記入力手段による入力操作に応じた金額を前記決済媒体に追加する。
【００１４】
これにより、表示手段が表示した金額表示に基づいて入力操作を行うことができ、より簡単に入力操作を行うことができる。
【００１５】
また、本発明の一態様は、上記の販売データ処理装置であって、前記表示手段は、前記追加処理に関する情報を表示する場合、前記精算処理に関する情報を前記追加処理に関する情報と態様を異ならせて表示する、もしくは、前記精算処理に関する情報を表示しないようにしてもよい。
【００１６】
上記構成によれば、表示手段は、追加処理に関する情報を表示する場合、精算処理に関する情報を追加処理に関する情報と態様を異ならせて表示する、もしくは、精算処理に関する情報を表示しない。
【００１７】
これにより、追加処理に関する情報を区別して表示することができる。
【００１８】
また、本発明の一態様は、上記の販売データ処理装置であって、前記決済媒体が保持する前記残額と前記買上データの合計金額とに基づいて差額を算出する算出手段を備え、前記制御手段は、前記算出結果に基づき前記残額よりも前記合計金額が大きいと判定した場合、前記追加処理を優先して実行するようにしてもよい。
【００１９】
上記構成によれば、算出手段は、決済媒体が保持する残額と買上データの合計金額とに基づいて差額を算出する。また、制御手段は、算出結果に基づき残額よりも合計金額が大きいと判定した場合、追加処理を優先して実行する。
【００２０】
これにより、決済媒体が保持する残額よりも、買上データの合計金額が大きい場合には、追加処理を優先して実行することができる。
【００２１】
また、本発明の一態様は、上記の販売データ処理装置であって、前記表示手段は、前記算出手段が算出した差額に基づいて表示態様を異ならせ、前記入力手段は、前記算出手段が算出した前記差額に基づいて入力を禁止するようにしてもよい。
【００２２】
上記構成によれば、算出手段は、残額と合計金額との差額を算出する。また、表示手段は、算出手段が算出した差額に基づいて表示態様を異ならせる。また、入力手段は、算出手段が算出した差額に基づいて入力を禁止する。
【００２３】
これにより、決済媒体が保持する残額と買上データの合計金額との差額に基づいて、表示態様を異ならせることができ、さらに、入力手段は、決済媒体が保持する残額と買上データの合計金額との差額に基づいて入力を禁止することができる。
【００２４】
また、本発明の一態様は、商品の買上データに基づき取引の精算処理を行う精算ステップと、利用客が所持する決済媒体に追加処理を行う追加ステップと、取引において、前記追加ステップによる前記追加処理と、前記精算ステップによる前記精算処理とが実行される場合、前記追加ステップによる前記追加処理を優先して実行する制御ステップと、をコンピュータに実行させるためのプログラムであってもよい。
【００２５】
上記構成によれば、精算ステップでは、商品の買上データに基づき取引の精算処理を行う。また、追加ステップでは、利用客が所持する決済媒体に追加処理を行う。また、制御ステップでは、取引において、追加ステップによる追加処理と、精算ステップによる精算処理とがある場合、追加ステップによる追加処理を優先して実行する。
【００２６】
これにより、取引において、追加処理と精算処理とがある場合、追加処理を優先して実行することができるため、利用客にとって利便性を高くすることができる。
【発明の効果】
【００２７】
本発明によれば、利用客にとって利便性を高くすることができる。
【図面の簡単な説明】
【００２８】
【図１】本発明の一実施形態に係る本実施の形態に係るＰＯＳシステムの構成例を示している。
【図２】本実施形態における登録装置の構成例を示すブロック図である。
【図３】本実施形態における精算装置の構成例を示すブロック図である。
【図４】本実施形態における登録装置と精算装置との外観例を示す斜視図である。
【図５】本実施形態におけるプリペイドカード管理サーバの構成例を示すブロック図である。
【図６】本実施形態におけるプリペイドカード管理情報の一例を示した図である。
【図７】本実施形態における登録装置の処理遷移例を示したフローチャートである。
【図８】本実施形態における精算装置の処理遷移例を示したフローチャートである。
【図９】本実施形態における精算方法選択画面の一例を示した図である。
【図１０】本実施形態におけるプリペイドカードをかざす指示画面の一例を示した図である。
【図１１】本実施形態における不足対応方法選択画面の一例を示した図である。
【図１２】本実施形態におけるチャージ金額選択画面の一例を示した図である。
【図１３】本実施形態におけるチャージ金額の入金を促す画面の一例を示した図である。
【図１４】本実施形態におけるレシートの受取りを促す画面の一例を示した図である。
【図１５】本実施形態における残高報知画面の一例を示した図である。
【発明を実施するための形態】
【００２９】
以下、本発明の実施形態について図面を参照して説明する。図１は、本実施の形態に係るＰＯＳ（Ｐｏｉｎｔ  Ｏｆ  Ｓａｌｅｓ）システム（販売データ処理装置の一例）の構成例を示している。同図に示すＰＯＳシステムは、ストアコントローラ１０と、登録装置２０と、３台の精算装置３０−１、３０−２、３０−３と、通信装置４０と、プリペイドカード管理サーバ５０とを含んで構成されている。なお、以降の説明にあたり、精算装置３０−１、３０−２、３０−３について特に区別しない場合には、精算装置３０と記載する。
【００３０】
ストアコントローラ１０、登録装置２０、精算装置３０及び通信装置４０は店舗ＳＴにおいて備えられる。ストアコントローラ１０と、登録装置２０と、３台の精算装置３０と、通信装置４０とは、有線または無線接続のＬＡＮ（Ｌｏｃａｌ  Ａｒｅａ  Ｎｅｔｗｏｒｋ）１１で相互に通信が可能なように接続されている。
【００３１】
プリペイドカード管理サーバ５０は店舗ＳＴの外に備えられている。プリペイドカード管理サーバ５０と通信装置４０とは例えばネットワークを経由して通信可能に接続されている。これにより、店舗ＳＴにおけるストアコントローラ１０、登録装置２０及び精算装置３０は、通信装置４０を中継してプリペイドカード管理サーバ５０と通信が可能に接続される。
【００３２】
なお、プリペイドカード管理サーバ５０は、例えば図示しない他の店舗における通信装置を介して、他の店舗における登録装置、精算装置及びストアコントローラなどと通信が可能に接続されてよい。
【００３３】
なお、同図に示したＰＯＳシステムの構成は一例である。例えば、ＰＯＳシステムの構成として、２台以上の登録装置２０を含む構成としてもよいし、２台以下または４台以上の精算装置３０を含む構成としてもよい。また、ＰＯＳシステムの構成として、ストアコントローラ１０を含まない構成としてもよい。
【００３４】
なお、ＰＯＳシステムの構成として、ストアコントローラ１０を含まない構成とする場合には、他の装置（例えば、登録装置２０、２以上の登録装置２０がある場合には代表する１台の登録装置２０）に、ストアコントローラ１０としての機能を兼用させてもよい。
【００３５】
ストアコントローラ１０は、ＰＯＳシステムを制御するコンピュータであり、商品マスタなどの種々の情報を管理する。ストアコントローラ１０は、登録装置２０及び各精算装置３０に、最新の商品マスタを適宜送信する。商品マスタとは、各商品の商品識別情報（例えば、ＪＡＮコード）、商品名（品名、アイテム名）、販売価格、値引き情報などの商品情報を格納したファイルである。
【００３６】
ストアコントローラ１０は、最新の商品情報が反映された商品マスタを、外部（例えば、本部のサーバ、ＣＤ−ＲＯＭ等の媒体）から取得し、登録装置２０及び各精算装置３０に適宜送信する。
【００３７】
登録装置２０は、購入対象の商品を登録する登録処理を実行する。商品の登録は、例えば、スキャナを用いて、商品に付されているバーコードを読み取るか、商品登録画面に表示されたプリセットボタン等を操作することにより行われる。また、登録装置２０は、登録された商品に関する情報（以下、商品登録データという）を生成し、記憶する。
【００３８】
商品登録データは、当該商品登録データを識別するための商品登録データ識別情報、登録日時、登録された各商品の商品識別情報、登録された各商品の商品名、販売価格、値引き情報、購入対象の商品の品数を示す取引点数（購入点数）、購入対象の商品の総額（合計金額）を含む。また、商品登録データは、当該商品登録データを生成した登録装置２０（すなわち、当該商品登録データに係る商品を登録した登録装置２０）を識別するための登録装置識別情報をさらに含んでもよい。
【００３９】
商品登録データは、精算装置３０において精算処理に用いられる。精算処理とは、登録された商品の代金を、現金、プリペイドカード６０（電子マネー、プリペイドカードのチャージ残高を含む）、クレジットカードなどを選択的に用いて支払い、決済する処理である。
【００４０】
本実施の形態では、複数の精算装置３０が存在するが、複数のうちのいずれか１台が、登録装置２０において生成された商品登録データを用いて精算処理を実行する。複数の精算装置３０のうちから、精算処理を実行させるべき精算装置３０を指定する態様としては、下記の第１の指定態様と第２の指定態様が挙げられる。
【００４１】
第１の指定態様は、精算処理を実行させる精算装置３０を、店員が登録装置２０にて指定する態様である。すなわち、店員が、精算装置３０を指定する操作を登録装置２０に対して行うことによって、複数の精算装置３０のうちから精算処理を実行させる精算装置３０を指定する。なお、登録装置２０において、各精算装置３０の稼働状況を示した稼働情報を表示するようにし、登録装置２０において、店員が精算装置３０を指定する際に、各精算装置３０の稼働状況を確認できるようにしてもよい。
【００４２】
店員が精算装置３０を指定した場合には、ＬＡＮ１１を介して、登録装置２０において生成された商品登録データを含む会計データが、指定された精算装置３０に送信される。
すなわち、登録装置２０は、登録処理に続いて精算装置３０が指定された場合には、指定された精算装置３０に対し、当該登録処理に基づく商品登録データを含む会計データを送信する。なお、本実施の形態では、登録装置２０は、直接、精算装置３０に会計データを送信するが、ストアコントローラ１０を経由して、精算装置３０に会計データを送信してもよい。
【００４３】
また、第２の指定態様は、顧客に手渡しされる精算処理用の媒体（お会計券（登録商標））を、店員が登録装置２０にて発行し、店員から手渡しされたお会計券を、顧客が１つの精算装置３０に読み取らせる態様である。すなわち、顧客が、店員から手渡しされたお会計券を精算装置３０に読み取らせることによって、複数の精算装置３０のうちから精算処理を実行させる精算装置３０を指定する。お会計券には、会計データ識別情報及び登録装置識別情報が、１次元コードまたは２次元コードのいずれかの形式で印刷されている。
【００４４】
精算装置３０においてお会計券が読み取られた場合には、ＬＡＮ１１を介して、登録装置２０において生成された商品登録データ（当該お会計券に対応する商品登録データ）を含む会計データが、当該お会計券を読み取った精算装置３０に送信される。
【００４５】
すなわち、精算装置３０は、お会計券を読み取った場合には、当該お会計券に対応する会計データ（お会計券から得られる商品登録データ識別情報によって識別される商品登録データ）を、当該お会計券に対応する登録装置２０（お会計券から得られる登録装置識別情報によって識別される登録装置２０）に要求し（要求情報を送信）、会計データを要求された登録装置２０は、要求された会計データを、要求元の精算装置３０に送信する。
【００４６】
なお、本実施の形態では、精算装置３０は、直接、登録装置２０に会計データを要求するが、ストアコントローラ１０を経由して、登録装置２０に会計データを要求してもよい。また、登録装置２０は、直接、精算装置３０に会計データを送信するが、ストアコントローラ１０を経由して、精算装置３０に会計データを送信してもよい。
【００４７】
なお、登録装置２０は、会計データ識別情報及び登録装置識別情報が、１次元コードまたは２次元コードで印刷されたお会計券に代えて、会計データが２次元コードで印刷されたお会計券を発行してもよい。精算装置３０は、会計データが２次元コードで印刷されたお会計券を読み取った場合には、当該お会計券から、直接、商品登録データを取得する。
【００４８】
精算装置３０は、顧客の操作に応じて精算処理を実行する。また、精算装置３０は、精算処理を終了した場合には、登録装置２０に精算処理の終了を通知する。また、精算装置３０は、顧客の操作に応じてプリペイドカード（決済媒体）にチャージ（入金）を行う追加処理を実行する。
【００４９】
通信装置４０は、プリペイドカード管理サーバ５０を含むネットワークとの接続と、店舗ＳＴにおけるＬＡＮ１１との接続を中継するゲートウェイとしての機能を有する。これにより、前述のように、プリペイドカード管理サーバ５０と、店舗ＳＴにおけるストアコントローラ１０、登録装置２０及び精算装置３０が通信可能に接続される。
【００５０】
次に、図２〜図４を参照して、登録装置２０及び精算装置３０の構成例について説明する。図２は、登録装置２０の構成例を示すブロック図である。図３は、精算装置３０の構成例を示すブロック図である。図４は、登録装置２０と精算装置３０との外観例を示す斜視図である。
【００５１】
登録装置２０は、図２に示すように、ＣＰＵ（Ｃｅｎｔｒａｌ  Ｐｒｏｃｅｓｓｉｎｇ
Ｕｎｉｔ）２０１と、記憶部２０２と、ＲＡＭ（Ｒａｎｄｏｍ  Ａｃｃｅｓｓ  Ｍｅｍｏｒｙ）２０３と、スキャナ部２０４と、店員用表示部２０５と、客用表示部２０５ａと、操作部２０６と、通信部２０７と、ブザー２０８と、印刷部２０９とを備える。これらは、バスを介して相互に通信可能である。
【００５２】
ＣＰＵ２０１は、中央演算処理装置であり、記憶部２０２に記憶されているプログラムを読み出して実行することにより、登録装置２０の動作を制御する。記憶部２０２は、ＣＰＵ２０１の補助記憶装置であって、プログラムをはじめとしてＣＰＵ２０１が利用する各種の情報を記憶する。
【００５３】
ＲＡＭ２０３は、ＣＰＵ２０１の主記憶装置であって、種々の情報を記憶する。例えば、ＲＡＭ２０３は、ストアコントローラ１０から取得した商品マスタや、登録処理後に生成された商品登録データなどを記憶する。スキャナ部２０４は、商品に付されているバーコード（商品コード）を光学的に読み取る。
【００５４】
店員用表示部２０５は、タッチパネル（例えば、液晶タッチパネル）であり、店員用の種々の情報を表示する。例えば、店員用表示部２０５は、商品情報（商品コード等）に関連付けられているプリセットボタンを配置した商品登録画面などを表示する。
【００５５】
客用表示部２０５ａは、顧客用の種々の情報を表示する。例えば、客用表示部２０５ａは、登録した商品の価格等を表示する。客用表示部２０５ａは、タッチパネル（例えば、液晶タッチパネル）であってもよい。
【００５６】
操作部２０６は、登録装置２０を動作させるための各種の操作ボタン（小計キー、現計キー、置数キー、訂正キー、及びプリセットキー等）を備える。例えば、操作部２０６は、操作ボタン（プリセットキー）が操作されることにより、そのプリセットキーに予め設定登録されている商品情報（商品コード等）について、操作入力を受け付ける。
【００５７】
通信部２０７は、ＬＡＮ１１を介して、他の装置と通信する。ブザー２０８は、店員が操作を確認することが必要な場合などに、ブザー音を発生させる。印刷部２０９は、必要に応じて媒体を印刷して発行する。例えば、印刷部２０９は、お会計券を印刷して発行する場合がある。
【００５８】
精算装置３０は、図３に示すように、ＣＰＵ３０１と、記憶部３０２と、ＲＡＭ３０３と、スキャナ部３０４と、表示部３０５と、操作部３０６と、通信部３０７と、ブザー３０８と、印刷部３０９と、決済部３１０と、サインポール３１１と、人感知センサ３１２とを備える。これらは、バスを介して相互に通信可能である。また、決済部３１０は、カードリーダ３１３を備える。
【００５９】
ＣＰＵ３０１は、中央演算処理装置であり、記憶部３０２に記憶されているプログラムを読み出して実行することにより、精算装置３０の動作を制御する。記憶部３０２は、ＣＰＵ３０１の補助記憶装置であって、プログラムをはじめとしてＣＰＵ３０１が利用する各種の情報を記憶する。
【００６０】
ＲＡＭ３０３は、ＣＰＵ２０１の主記憶装置であって、種々の情報を記憶する。例えば、ＲＡＭ３０３は、ストアコントローラ１０から取得した商品マスタや、登録装置２０から取得した商品登録データを記憶する。スキャナ部３０４は、例えば、お会計券に印刷された１次元または２次元コードや、会員カード等に付されているバーコード（会員コード）を光学的に読み取る。
【００６１】
表示部３０５は、タッチパネル（例えば、液晶タッチパネル）であり、種々の情報を表示する。例えば、表示部３０５は、合計金額などが表示される精算画面を表示する。
【００６２】
操作部３０６は、精算装置３０を動作させるための各種の操作ボタン（訂正キー及びプリセットキー等）を備える。例えば、操作部３０６は、操作ボタン（訂正キー）が操作されることにより、操作入力の訂正を受け付ける。
【００６３】
通信部３０７は、ＬＡＮ１１を介して、他の装置と通信する。ブザー３０８は、エラー等が発生した場合、エラーを報知するブザー音を発生させる。印刷部３０９は、媒体を印刷して発行する。例えば、印刷部３０９は、精算処理（すなわち商品の買上金額の決済）が終了した場合、精算結果を示し顧客が持ち帰るべきレシートを印刷して発行する。
【００６４】
決済部３１０は、釣銭釣札機、クレジットカードリーダ、カードリーダ３１３等と、それらの制御部とを備えて構成されていて、決済部３１０を用いて、現金、クレジットカード、プリペイドカード６０等により決済処理が行われる。決済部３１０は、決済を実行した結果（例えば、決済が成立したか否かを示す情報）を、バスを介してＣＰＵ３０１に出力する。釣銭釣札機は、紙幣の投入及び排出をする紙幣投入口、硬貨を投入するための硬貨投入口、釣銭を排出する釣銭排出口を備えている。なお、以降の説明にあたり、紙幣投入口と硬貨投入口とについて一括して貨幣投入口と呼ぶ場合がある。
【００６５】
サインポール３１１は、複数色の表示灯を有し、それらの表示灯を点灯や点滅させることで、精算装置３０が店員により指定された装置であることを示す情報を報知したり、操作可能である旨を報知したりする。
【００６６】
人感知センサ３１２は、精算装置３０の正面の所定圏内に人物（顧客）がいることを検知するセンサである。
【００６７】
本実施形態における店舗ＳＴでは、顧客は、自分が所持するプリペイドカード６０（決済媒体の一例）を使用して買上商品の代金（買上金額）を支払うことができる。つまり、顧客は、店舗ＳＴでの買い物に際してプリペイドカード６０を使用して代金の支払いを行うことができる。本実施形態におけるプリペイドカード６０は、顧客がチャージ（入金）を行うことが可能なプリペイドカードである。プリペイドカード６０におけるチャージ金額の残高（チャージ残高）は、プリペイドカード管理サーバ５０によって管理される。
【００６８】
カードリーダ３１３は、プリペイドカード６０と通信を行うことで、通信相手のプリペイドカード６０から必要な情報を読み込む。本実施形態においてプリペイドカード６０から読み込まれる情報は顧客番号である。顧客番号は、プリペイドカード６０ごとに固有に割り当てられるとともに、顧客と対応付けられている。即ち、顧客番号は、プリペイドカードと顧客とのそれぞれを一意に識別する識別子として機能する。
【００６９】
図４においては、スキャナ部２０４、店員用表示部２０５、操作部２０６及び印刷部２０９を含む登録装置２０の外観例が示される。また、スキャナ部３０４、表示部３０５、操作部３０６、印刷部３０９、決済部３１０、カードリーダ３１３及びサインポール３１１などを含む精算装置３０の外観構成が示される。
【００７０】
また、図５を参照してプリペイドカード管理サーバ５０の構成例について説明する。同図に示される、プリペイドカード管理サーバ５０は、ＣＰＵ５０１、記憶部５０２、ＲＡＭ５０３及び通信部５０４を備える。
【００７１】
ＣＰＵ５０１は、中央演算処理装置であり、記憶部５０２に記憶されているプログラムを読み出して実行することにより、プリペイドカード管理サーバ５０の動作を制御する。
記憶部５０２は、ＣＰＵ５０１の補助記憶装置であって、プログラムをはじめとしてＣＰＵ５０１が利用する各種の情報を記憶する。
【００７２】
本実施形態における記憶部５０２は、プリペイドカード管理情報を記憶する。図６は、プリペイドカード管理情報の一例を示している。同図のプリペイドカード管理情報は、顧客番号ごとに顧客情報とチャージ残高と利用履歴情報とを対応付けた構造である。顧客番号は、前述のようにプリペイドカードごとに記憶されており、プリペイドカードの識別子及び顧客の識別子として機能する。
【００７３】
顧客情報は、顧客番号に対応付けられた顧客に関する所定の情報要素を含む情報である。顧客情報の情報要素には、例えば、顧客の氏名、年齢、住所などが含まれる。チャージ残高は、顧客番号に対応付けられたプリペイドカードにおけるチャージ残高の値を示す。
使用履歴情報は、過去におけるプリペイドカードの利用に関する履歴を示す情報である。
【００７４】
説明を図５に戻す。ＲＡＭ５０３は、ＣＰＵ５０１の主記憶装置であって、例えばＣＰＵ５０１が演算を行う際の作業領域として利用される。通信部５０４は、ネットワーク経由で通信装置４０と接続されることで、店舗ＳＴにおける登録装置２０、精算装置３０及びストアコントローラ１０などと通信を行う。
【００７５】
続いて、図７のフローチャートを参照して、本実施形態の登録装置２０の処理遷移例について説明する。また、同図の説明にあたっては、前述の第１の指定態様によって、精算処理を実行させる精算装置３０を指定するようにされている場合を例に挙げる。
【００７６】
ステップＳ１０１：初期状態として、登録装置２０は待機状態である。待機状態は、顧客の買上商品を計上するための登録処理が開始されるのを待機している状態である。待機状態において、登録装置２０の店員用表示部２０５には、待機画面が表示されている。
【００７７】
ステップＳ１０２：ここで、顧客が買上商品の精算のために登録装置２０に赴いて買上商品を店員に渡すと、店員は、渡された買上商品を登録する操作を開始する。そして、１つ目の買上商品を対象として登録が行われることに応じて、登録装置２０は商品登録処理を開始する。
【００７８】
ステップＳ１０３：店員は、買上商品の登録を終了すると小計キーを操作する。登録装置２０は小計キーの操作を受け付けることで商品登録が終了したものとして扱う。
ステップＳ１０４：店員は会計キー操作を行い、登録装置２０は当該操作を受け付ける。
【００７９】
ステップＳ１０５：次に、店員は、今回の取引に応じた精算を実行させる精算装置３０を指定する精算装置指定操作を行う。登録装置２０は当該操作を受け付け、会計データを、精算装置指定操作により指定された精算装置３０に対して送信する。ここで、会計データは、今回の取引における商品登録結果（商品の計上結果）に応じた商品登録データ（例えば登録された各商品の金額、小計金額（買上金額）など）を含む。ステップＳ１０５により会計データを送信した後、登録装置２０は、ステップＳ１０１の待機状態に戻る。
【００８０】
次に、図８のフローチャートを参照して、精算装置３０の処理遷移例について説明する。同図の処理は、図７により説明した登録装置２０の処理に対応して行われるものである。
【００８１】
ステップＳ２０１：初期状態として、精算装置３０は待機状態である。待機状態は、会計データの受信に応じて精算に関連する処理が開始されるのを待機している状態である。
待機状態において、精算装置３０の表示部３０５には、所定の態様による待機画面が表示されている。
【００８２】
ステップＳ２０２：待機状態のもとで登録装置２０から会計データが送信されることに応じて、精算装置３０は会計データを受信する。
【００８３】
ステップＳ２０３：精算装置３０のＣＰＵ３０１は、精算方法の選択肢を表示部３０５に表示させる。顧客は、表示部３０５のタッチパネル（操作部３０６）を操作し、精算方法を選択する。操作部３０６は、顧客による操作により、精算方法の入力を受け付ける。
【００８４】
図９は、表示部３０５に表示される精算方法選択画面の一例を示している。精算方法選択画面においては、案内文「お支払い方法を選択して下さい」と、お支払金額「９００円」（買上商品の合計金額）と、精算方法の選択肢である現金選択ボタン９０１と、クレジットカード選択ボタン９０２と、プリペイドカード選択ボタン９０３とが示されている。
【００８５】
精算方法選択画面が表示されている状態のもとで、顧客は、精算方法の選択入力を行う。具体的には、顧客は、選択する精算方法のボタンに触れる。例えば、顧客は、現金での精算を選択する場合には、現金選択ボタン９０１に触れる。また、顧客は、クレジットカードでの精算を選択する場合には、クレジットカード選択ボタン９０２に触れる。また、顧客は、プリペイドカードでの精算を選択する場合には、プリペイドカード選択ボタン９０３に触れる。
【００８６】
ステップＳ２０４：ステップＳ２０３で、操作部３０６が現金選択ボタン９０１の入力を受け付けた場合、すなわち現金での精算が選択された場合、精算装置３０のＣＰＵ３０１は、現金での精算処理を実施する。そして、現金での精算処理の終了後、待機状態（ステップＳ２０１）に戻る。なお、現金での精算処理は、従来知られている方法と同様の処理である。
【００８７】
ステップＳ２０５：ステップＳ２０３で、操作部３０６がクレジットカード選択ボタン９０２の入力を受け付けた場合、すなわちクレジットカードでの精算が選択された場合、精算装置３０のＣＰＵ３０１は、クレジットカードでの精算処理を実施する。そして、クレジットカードの精算処理の終了後、待機状態（ステップＳ２０１）に戻る。なお、クレジットカードでの精算処理は、従来知られている方法と同様の処理である。
【００８８】
ステップＳ２０６：ステップＳ２０３で、操作部３０６がプリペイドカード選択ボタン９０３の入力を受け付けた場合、すなわちプリペイドカードでの精算が選択された場合、精算装置３０のＣＰＵ３０１は、プリペイドカードをかざす指示画面を表示部３０５に表示させる。顧客は、プリペイドカードをかざす指示画面が表示部３０５に表示された場合、プリペイドカード６０を決済部３１０のカードリーダ３１３にかざす。カードリーダ３１３は、かざされたプリペイドカード６０の情報を読み取る。
【００８９】
図１０は、表示部３０５に表示されるプリペイドカードをかざす指示画面の一例を示している。プリペイドカードをかざす指示画面においては、案内文「プリペイドカードをかざして下さい」と、お支払金額「９００円」とが示されている。
【００９０】
ステップＳ２０７：精算装置３０のＣＰＵ３０１は、ステップＳ２０２で受信した会計データに含まれる買上商品の合計金額と、ステップＳ２０６で読み取ったプリペイドカード６０の情報に含まれるプリペイドカード残高とを比較し、合計金額がプリペイドカード残高よりも大きいか否かを判定する。
【００９１】
ステップＳ２０８：ステップＳ２０７で、合計金額がプリペイドカード残高よりも大きいと判定した場合、精算装置３０のＣＰＵ３０１は、不足対応選択肢を表示部３０５に表示させる。顧客は、表示部３０５のタッチパネル（操作部３０６）を操作し、不足対応方法を選択する。操作部３０６は、顧客による操作により、不足対応方法の入力を受け付ける。
【００９２】
図１１は、表示部３０５に表示される不足対応方法選択画面の一例を示している。不足対応方法選択画面においては、案内文「残高不足です  精算方法を選択して下さい」と、お支払金額「９００円」と、残高「３００円」と、不足対応方法の選択肢である「プリペイドカードにチャージし、プリペイドカードで精算」選択ボタン１１０１と、「プリペイドカードの残高を全て使い、残りを各金種で精算」選択ボタン１１０２と、「プリペイドカードの利用を中止し、各金種で精算」選択ボタン１１０３とが示されている。
【００９３】
不足対応方法選択画面が表示されている状態のもとで、顧客は、不足対応方法の選択入力を行う。具体的には、顧客は、選択する不足対応方法のボタンに触れる。例えば、顧客は、「プリペイドカードにチャージし、プリペイドカードで精算」を選択する場合には、「プリペイドカードにチャージし、プリペイドカードで精算」選択ボタン１１０１に触れる。また、顧客は、「プリペイドカードの残高を全て使い、残りを各金種で精算」を選択する場合には、「プリペイドカードの残高を全て使い、残りを各金種で精算」選択ボタン１１０２に触れる。また、顧客は、「プリペイドカードの利用を中止し、各金種で精算」を選択する場合には、「プリペイドカードの利用を中止し、各金種で精算」選択ボタン１１０３に触れる。
【００９４】
ステップＳ２０９：ステップＳ２０８で、操作部３０６が「プリペイドカードにチャージし、プリペイドカードで精算」選択ボタン１１０１の入力を受け付けた場合、すなわち「プリペイドカードにチャージし、プリペイドカードで精算」が選択された場合、精算装置３０のＣＰＵ３０１は、チャージ金額の選択肢を表示部３０５に表示させる。顧客は、表示部３０５のタッチパネル（操作部３０６）を操作し、チャージ金額を選択する。操作部３０６は、顧客による操作により、チャージ金額の入力を受け付ける。
【００９５】
図１２は、表示部３０５に表示されるチャージ金額選択画面の一例を示している。チャージ金額選択画面においては、案内文「チャージ金額を選択して下さい」と、お支払金額「９００円」と、残高「３００円」と、チャージ金額「５００円」の選択肢である「５００円」選択ボタン１２０１と、チャージ金額「１０００円」の選択肢である「１０００円」選択ボタン１２０２と、チャージ金額「５０００円」の選択肢である「５０００円」選択ボタン１２０３とが示されている。
【００９６】
チャージ金額選択画面が表示されている状態のもとで、顧客は、チャージ金額の選択入力を行う。具体的には、顧客は、選択するチャージ金額のボタンに触れる。例えば、顧客は、「５００円」のチャージを選択する場合には、「５００円」選択ボタン１２０１に触れる。また、顧客は、顧客は、「１０００円」のチャージを選択する場合には、「１０００円」選択ボタン１２０２に触れる。また、顧客は、「５０００円」のチャージを選択する場合には、「５０００円」選択ボタン１２０３に触れる。
【００９７】
なお、本実施形態では、チャージを行っても、プリペイドカードの残高が合計金額未満となる選択ボタンは、選択できないように表示される。図示する例では、合計金額が１０００円であり、残高が３００円であるため、「５００円」選択ボタン１２０１が選択できないように表示されている。これにより、チャージを行っても残高不足となり、精算処理を終了できないことを防ぐことができる。
【００９８】
ステップＳ２１０：ステップＳ２０９で、操作部３０６がチャージ金額の選択ボタンの入力を受け付けた場合、精算装置３０のＣＰＵ３０１は、チャージ金額の入金を促す画面を表示部３０５に表示させる。顧客は、チャージ金額の入金を促す画面が表示部３０５に表示された場合、顧客は、ステップＳ２０９で選択したチャージ金額に相当する紙幣や硬貨を貨幣投入口に投入する。精算装置３０のＣＰＵ３０１は、貨幣投入口に紙幣や硬貨が投入された場合、貨幣投入口に投入された金額を報知する入金報知画面を表示部３０５に表示させる。
【００９９】
また、精算装置３０のＣＰＵ３０１は、入金報知画面でおわりボタンが押下され、貨幣投入口に投入された金額がステップＳ２０９で選択されたチャージ金額以上である場合、カードリーダ３１３を用いて、プリペイドカード６０の残高にチャージ金額を加算する。
精算装置３０のＣＰＵ３０１は、プリペイドカード６０の残高にチャージ金額を加算する場合、プリペイドカード管理サーバ５０へ問い合わせる必要がある。これにより、プリペイドカード６０に金額をチャージすることができる。なお、精算装置３０のＣＰＵ３０１は、プリペイドカード管理サーバ５０へ問い合わせ中には、問い合わせ中であることを示す問い合わせ中画面を表示部３０５に表示させる。
【０１００】
また、精算装置３０のＣＰＵ３０１は、プリペイドカード６０へのチャージが完了した場合、チャージ内容を印字したレシートを印字部３０９から発行する。なお、精算装置３０のＣＰＵ３０１は、レシートを発行した場合、レシートの受取りを促す画面を表示部３０５に表示させる。なお、ステップＳ２１０の処理でレシートを発行せず、後述するステップＳ２１３の処理で発行するレシートに、チャージ内容をあわせて印字するようにしてもよい。
【０１０１】
図１３は、表示部３０５に表示されるチャージ金額の入金を促す画面の一例を示している。図示する例は、ステップＳ２０９で、「１０００円」のチャージが選択された例を示している。チャージ金額の入金を促す画面においては、案内文「お金をいれてください」と、お支払金額「１０００円」（チャージ金額）とが示されている。
【０１０２】
図１４は、表示部３０５に表示されるレシートの受取りを促す画面の一例を示している。レシートの受取りを促す画面においては、案内文「レシートをお受け取りください  ありがとうございました」と、お支払金額「１０００円」と、お預かり金額「１０００円」と、おつり「０円」とが示されている。
【０１０３】
ステップＳ２１１：ステップＳ２１０でプリペイドカード６０へのチャージが完了したため、精算装置３０のＣＰＵ３０１は、プリペイドカードをかざす指示画面を表示部３０５に表示させる。顧客は、プリペイドカードをかざす指示画面が表示部３０５に表示された場合、プリペイドカード６０を決済部３１０のカードリーダ３１３にかざす。カードリーダ３１３は、かざされたプリペイドカード６０の情報を読み取る。なお、プリペイドカードをかざす指示画面は、図１０に示した画面である。また、精算装置３０のＣＰＵ３０１は、カードリーダ３１３がプリペイドカード６０の情報を読み取った場合、プリペイドカード６０の残高（お預かり金額）と、プリペイドカード６０で支払った後の残高を報知する残高報知画面を表示部３０５に表示させる。
【０１０４】
なお、ステップＳ２０６の処理でプリペイドカードをかざす指示画面を表示部３０５に表示させ、チャージ前に一度プリペイドカード６０をかざしていることを考慮すると、ステップＳ２１１において、プリペイドカードをかざす指示画面の表示や、プリペイドカード６０をかざす操作を行わないようにしてもよい。
【０１０５】
図１５は、表示部３０５に表示される残高報知画面の一例を示している。残高報知画面においては、案内文「よろしければおわりボタンをおしてください」と、お支払金額「９００円」（買上商品の合計金額）と、お預かり金額「１３００円」（プリペイドカード６０の残高）と、残高「４００円」（プリペイドカード６０で支払った後の残高）と、おわりボタン１７０１とが示されている。
【０１０６】
ステップＳ２１２：精算装置３０のＣＰＵ３０１は、残高報知画面でおわりボタンが押下された場合、プリペイドカード残高から合計金額を減算し、カードリーダ３１３を用いて、プリペイドカード６０に減算した金額を書き込む。精算装置３０のＣＰＵ３０１は、プリペイドカード６０に減算した金額を書き込む場合、プリペイドカード管理サーバ５０へ問い合わせる必要がある。これにより、プリペイドカード６０の残高から金額を減算することができる。
【０１０７】
ステップＳ２１３：精算装置３０のＣＰＵ３０１は、精算内容を印字したレシートを印字部３０９から発行するなど、取引完了処理を行う。なお、精算装置３０のＣＰＵ３０１は、レシートを発行した場合、レシートの受取りを促す画面を表示部３０５に表示させる。そして、取引完了処理の終了後、待機状態（ステップＳ２０１）に戻る。なお、取引完了処理は、従来知られている方法と同様の処理である。
【０１０８】
ステップＳ２１４：ステップＳ２０８で、操作部３０６が「プリペイドカードの残高を全て使い、残りを各金種で精算」選択ボタン１１０２の入力を受け付けた場合、すなわち「プリペイドカードの残高を全て使い、残りを各金種で精算」が選択された場合、精算装置３０のＣＰＵ３０１は、残りの金額を精算する金種の選択肢を表示部３０５に表示させる。顧客は、表示部３０５のタッチパネル（操作部３０６）を操作し、残りの金額を精算する金種を選択する。操作部３０６は、顧客による操作により、残りの金額を精算する金種の入力を受け付ける。
【０１０９】
ステップＳ２１５：精算装置３０のＣＰＵ３０１は、プリペイドカード残高から全額を減算し、カードリーダ３１３を用いて、プリペイドカード６０に金額「０円」を書き込む。精算装置３０のＣＰＵ３０１は、プリペイドカード６０に金額「０円」を書き込む場合、プリペイドカード管理サーバ５０へ問い合わせる必要がある。これにより、プリペイドカード６０の全残高を減算することができる。
【０１１０】
ステップＳ２１６：精算装置３０のＣＰＵ３０１は、ステップＳ２１４で選択された金種で、残額の精算処理を実施する。そして、残額の精算処理の終了後、待機状態（ステップＳ２０１）に戻る。なお、残額の精算処理は、従来知られている方法と同様の処理である。
【０１１１】
ステップＳ２１７：ステップＳ２０７で、合計金額がプリペイドカード残高よりも大きくない（合計金額がプリペイドカード残高以下）と判定した場合、精算装置３０のＣＰＵ３０１は、プリペイドカード残高から合計金額を減算し、カードリーダ３１３を用いて、プリペイドカード６０に減算した金額を書き込む。
【０１１２】
ステップＳ２１８：精算装置３０のＣＰＵ３０１は、レシートの発行など、取引完了処理を行う。そして、取引完了処理の終了後、待機状態（ステップＳ２０１）に戻る。なお、取引完了処理は、従来知られている方法と同様の処理である。
【０１１３】
上述したとおり、本実施形態によれば、取引において、プリペイドカード６０にチャージを行う処理（例えば、ステップＳ２０９〜Ｓ２１０の処理）と、プリペイドカード６０を用いて精算を行う処理（例えば、ステップＳ２１１〜Ｓ２１３の処理）とがある場合には、プリペイドカード６０を用いて精算を行う処理よりも、プリペイドカード６０にチャージを行う処理を優先して実行する。
【０１１４】
これにより、精算処理を開始した後であっても、プリペイドカード６０（決済媒体）に追加処理を行うことができる。よって、利用客にとって利便性を高くすることができる。
【０１１５】
さらに、プリペイドカード６０（決済媒体）がポイントサービスを備えている場合も考えられる。仮にプリペイドカード６０の残高が１００円で１０００円の物品を購入する場合、
Ａ）プリペイドカード６０の残高１００円を使いきり、残り９００円を現金で支払う（＝プリペイドカード６０から１００円支払い）
Ｂ）プリペイドカード６０の残高１００円に１０００円の追加（チャージ）を行い、プリペイドカード６０の残高１１００円から支払う（＝プリペイドカード６０から１０００円支払い）
の例えば２つのパターンが考えられる。
【０１１６】
上記Ａ）、Ｂ）の違いはプリペイドカード６０（決済媒体）から幾ら支払ったかである。つまり、プリペイドカード６０（決済媒体）がポイントサービスも兼ねたものであれば、Ｂ）のケースの方が付与されるポイントも高くなる。よって、本実施形態では、Ｂ）のパターンの処理を容易に行うことができるため、利用客にとって利便性を高くでき、さらに、利用客がより得をすることができる。
【０１１７】
なお、上述した実施形態では、登録装置２０と精算装置３０とが分離したＰＯＳシステムにおいて、精算装置３０でプリペイドカード６０にチャージを行う例を用いて説明したが、これに限らない。例えば、登録装置２０と精算装置３０とが分離したＰＯＳシステムにおいて、登録装置２０でプリペイドカード６０にチャージを行うＰＯＳシステムや、登録と精算との両方を行う一体型のＰＯＳレジスタにおいても、本実施形態と同様に、プリペイドカード６０を用いて精算を行う処理よりも、プリペイドカード６０にチャージを行う処理を優先して実行するようにしてもよい。
【０１１８】
具体的には、上述した例では、以下の操作Ａ〜Ｅを行っている。
・操作Ａ：登録処理２０により精算すべき精算処理データが生成される
・操作Ｂ：チャージの宣言によりチャージすべき残額追加処理データが生成される
・操作Ｃ： 登録装置２０で生成されたデータ（精算処理データもしくは精算処理データ＋残額追加処理データ）が精算装置３０へ送信される
・操作Ｄ： 残額追加処理データに基づいてプリペイドカード６０へのチャージを行う
・操作Ｅ：精算処理データに基づいてプリペイドカード６０による精算を行う
【０１１９】
＜ケース１：店員が登録・精算の両方を行う一体型（一般的なレジ）の場合＞
一体型レジにて操作Ａ，Ｂ，Ｄ，Ｅが行われる。操作Ｃは無く、操作Ｄ，Ｅの順番が入れ替わることはない。
【０１２０】
＜ケース２：店員が登録、利用客が精算する分離型の精算装置の場合（登録時にプリペイドカード６０をかざすパターン）＞
登録装置にて操作Ａ，Ｂ，Ｃが行われ、精算装置にてＤ，Ｅの操作が行われる。操作Ｄ，Ｅの順番が入れ替わることはない。
【０１２１】
＜ケース３：店員が登録、利用客が精算する分離型の精算装置の場合（登録時にプリペイドカード６０をかざさないパターン）＞
登録装置にて操作Ａ，Ｃが行われ、精算装置にてＢ，Ｄ，Ｅが行われる。操作Ｄ，Ｅの順番が入れ替わることはない。
【０１２２】
＜ケース４：利用客が登録・精算の両方を行う一体型（完全セルフ装置）の場合＞
一体型レジにて操作Ａ，Ｂ，Ｄ，Ｅが行われる。操作Ｃは無く、操作Ｄ，Ｅの順番が入れ替わることはない。
【０１２３】
また、上述した実施形態では、決済媒体の例としてプリペイドカード６０を用いて説明したが、これに限らずどのようなものであってもよい。例えば、決済媒体は、電子マネーなどのように媒体内に記憶された貨幣価値を対象とするものや、デビットカードのように上位で記憶された貨幣価値を対象とするものであってもよい。
【０１２４】
また、上述した実施形態では、顧客が精算装置３０を用いてプリペイドカード６０（決済媒体）にチャージする例を用いて説明したが、これに限らない。例えば、店員が登録装置２０を用いてプリペイドカード６０（決済媒体）にチャージするようにしてもよい。また、店員が登録装置２０を用いてプリペイドカード６０（決済媒体）にチャージする場合、購入商品を登録する時と同じようなプリセットキーが登録装置２０に用意されていてもよい。例えば、登録装置２０に、「１０００円チャージ」や「５０００円チャージ」等のプリセットキーが事前に設定されており、図７のステップＳ１０２の処理で、店員が「１０００円チャージ」や「５０００円チャージ」等のプリセットキーを押下することで、通常商品と同じように登録画面に「チャージ商品」として登録されるようにしてもよい。
【０１２５】
また、上述した実施形態では、図８に示したように、登録装置２０から送信された会計データを精算装置３０で受信して精算方法を選択するパターンを用いて説明したが、これに限らず、登録装置２０にて精算方法を選択するようにしてもよい。例えば、図７のステップＳ１０２の処理で、登録装置２０は小計キー操作を受付けると登録が完了し、精算方法を選べる状態とし、ここで精算方法の選択入力を受け付けるようにしてもよい。そして、登録装置２０は、会計データと精算方法との両方のデータを精算装置３０へ送信することで、登録装置２０にて精算方法を選択することができる。なお、この場合図８のステップＳ２０３の処理が不要となる。さらに、商品登録の中にチャージ商品の登録も可能とした場合、小計キー操作を受付けた際に登録内容にチャージ商品が含まれていると判断すると、自動で決済種別が電子マネーとなるようにしてもよい。
【０１２６】
また、上述した実施形態では、プリペイドカード６０（決済媒体）を用いて精算を行う場合であっても、精算装置３０で精算を行う例を用いて説明したが、これに限らない。例えば、プリペイドカード６０（決済媒体）を用いて精算を行う場合には、登録装置２０で精算を行うようにしてもよい。例えば、登録装置２０が決済媒体読取装置を備えるようにしてもよい。そして、登録装置２０は、図７のステップＳ１０３の処理で小計操作を受付けると、登録を完了させて精算方法を選べる状態とする。ここで、精算方法として「プリペイドカード」が選択されると、登録装置２０は、決済媒体読取装置にて利用客のプリペイドカード６０（決済媒体）を読み取り、登録装置２０にて精算を終えるようにしてもよい。
【０１２７】
登録装置２０と精算装置３０とを分けている大きな理由のひとつが、店員と利用客との「現金のやり取り」を削減するためである。例えば、財布から必要金額を取り出す作業やそれを受け取り、お釣を算出し利用客に渡す一連の作業は登録作業と同等の時間を要します。この「現金のやり取り」を削減し、店員が商品登録操作のみに専念することで時間の効率化を図ることがその目的である。つまり「現金のやり取り」が無ければ、登録装置２０で精算してもそれほど時間がかからないため、登録装置２０で、プリペイドカード６０やクレジットカードや電子マネーなどの決済媒体を利用した精算を行うようにしてもよい。
【０１２８】
また、登録装置２０に備えられた決済媒体読み取り装置にて利用客のプリペイドカード６０（決済媒体）を読み取った結果、残高不足であることが分かった場合、登録装置２０は、例えば図１２に示したような選択画面を表示し、チャージすべき金額を選択できるようにしてもよいし、また、例えば、購入商品を登録する時と同じようなプリセットキーが登録装置２０に用意されている場合には、登録画面に戻って、チャージ商品の登録が可能な状態にしてもよい。さらに、この場合、チャージすべき金額が確定すると、そのチャージ金額と会計データとが指定する精算装置３０へ送信される。そして、指定された精算装置３０において、チャージ金額に基づいたチャージを優先的に行い、続いてそのチャージされた金額から会計データの精算が行われるようにしてもよい。
【０１２９】
以上、本発明の好ましい実施形態及びその変形例を説明したが、本発明はこれら実施形態及びその変形例に限定されることはない。本発明の趣旨を逸脱しない範囲で、構成の付加、省略、置換、およびその他の変更が可能である。また、本発明は前述した説明によって限定されることはなく、添付のクレームの範囲によってのみ限定される。また、これまで説明してきた本実施形態における構成（変形例を含む）は、可能な範囲で適宜組み合わされてもよい。
【０１３０】
また、上述の登録装置２０、精算装置３０及びプリペイドカード管理サーバ５０などとしての機能を実現するためのプログラムをコンピュータ読み取り可能な記録媒体に記録して、この記録媒体に記録されたプログラムをコンピュータシステムに読み込ませ、実行することにより上述の登録装置２０、精算装置３０及びプリペイドカード管理サーバ５０などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。
さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【０１３１】
１０  ストアコントローラ、１１  ＬＡＮ、２０  登録装置、３０  精算装置、４０  通
信装置、５０  プリペイドカード管理サーバ、６０  プリペイドカード、２０１  ＣＰＵ
、２０２  記憶部、２０３  ＲＡＭ、２０４  スキャナ部、２０５  店員用表示部、２０
５ａ  客用表示部、２０６  操作部、２０７  通信部、２０８  ブザー、２０９  印刷部
、３０１  ＣＰＵ、３０２  記憶部、３０３  ＲＡＭ、３０４  スキャナ部、３０５  表
示部、３０６  操作部、３０７  通信部、３０８  ブザー、３０９  印刷部、３１０  決
済部、３１１  サインポール、３１２  人感知センサ、３１３  カードリーダ、５０１  
ＣＰＵ、５０２  記憶部、５０３  ＲＡＭ、５０４  通信部
【図１】
2020119606.tif 000003
【図２】
2020119606.tif 000004
【図３】
2020119606.tif 000005
【図４】
2020119606.tif 000006
【図５】
2020119606.tif 000007
【図６】
2020119606.tif 000008
【図７】
2020119606.tif 000009
【図８】
2020119606.tif 000010
【図９】
2020119606.tif 000011
【図１０】
2020119606.tif 000012
【図１１】
2020119606.tif 000013
【図１２】
2020119606.tif 000014
【図１３】
2020119606.tif 000015
【図１４】
2020119606.tif 000016
【図１５】
2020119606.tif 000017